(57)【要約】【課題】高齢者や初心者であっても理解し易く、容易に各種設定を行うことができ、また、高齢者や弱視力者であっても扱い易い表示が成される画像形成装置を提供する。【解決手段】例えば、応用機能の設定を行う応用機能画面３００において、応用機能の１つである“１枚集約機能”に関する画面のみを表示することで、各項目の文字フォントを大きくして、高齢者や弱視力者であってもこれを認識し易くする。また、機能毎にその内容を説明する機能説明情報３００ａを付帯表示することで、高齢者や初心者であっても、その機能の内容を容易に理解できるようにする。さらに、機能毎にその機能を使用するか否かをユーザに問いかける説明情報３００ｂと、その機能を選択する“選択”ボタン３００ｃとを表示することで、高齢者や初心者であっても分かり易く操作を進めることができるようにする。【選択図】　　　図５
2004029292.tif 000002
【特許請求の範囲】
【請求項１】
画像出力処理に関する複数の機能を有し、前記複数の機能に関する設定画面を表示するための表示部と、その設定操作を行うための操作部とを少なくとも備える画像形成装置において、
前記設定画面において、前記複数の機能に関する設定画面を表示する際に、前記複数の機能の内、単一の機能に関する情報のみを表示する表示制御を行う表示制御部を有することを特徴とする画像形成装置。
【請求項２】
画像出力処理に関する複数の機能を有し、前記複数の機能に関する設定画面を表示するための表示部と、その設定操作を行うための操作部とを少なくとも備える画像形成装置において、
前記設定画面において、前記複数の機能に関する設定画面を表示する際に、前記複数の機能の内、複数の機能に関する情報を同時に表示する通常表示と、前記複数の機能の内、単一の機能に関する情報のみを表示する特定表示との切り替え制御を行う表示制御部を有することを特徴とする画像形成装置。
【請求項３】
前記表示制御部は、前記操作部によって特定の操作がなされた場合に、前記切り替え制御を行うことを特徴とする請求項２記載の画像形成装置。
【請求項４】
前記表示制御部は、前記単一の機能に関する情報のみを表示する場合に、前記機能に関する設定を進行させるための問い掛け文及び回答肢を、その都度、表示することを特徴とする請求項１乃至請求項３の何れか一項に記載の画像形成装置。
【請求項５】
前記表示制御部は、前記単一の機能に関する情報のみを表示する場合に、文字フォントの大きさを通常より大きく表示することを特徴とする請求項１乃至請求項４の何れか一項に記載の画像形成装置。
【請求項６】
前記表示制御部は、前記単一の機能に関する情報のみを表示する場合に、前記機能の内容に関する説明情報を付帯表示することを特徴とする請求項１乃至請求項５の何れか一項に記載の画像形成装置。
【請求項７】
前記表示部は液晶パネルであって、前記操作部は前記表示部に重ねて設けられるタッチパネルであることを特徴とする請求項１乃至請求項６の何れか一項に記載の画像形成装置。
【発明の詳細な説明】
【０００１】
【発明の属する技術分野】
本発明は、プリンタ、複写機、複合機及びファクシミリ等の画像形成装置に関するものであって、より詳しくは、表示部及び操作部からなるユーザインターフェースを有する画像形成装置に関するものである。
【０００２】
【従来の技術】
従来から、プリンタ、複写機、複合機及びファクシミリ等の画像形成装置においては、各種設定を行うためのユーザインターフェースとして、表示部及び操作部が設けられている。
【０００３】
このような画像形成装置の表示部では、通常、図１２に示すような初期画面８００において、１つの画面上に種々の機能情報を表示している。因みに、同図においては、各種機能情報として、コピー設定・コピー予約・予約リスト・原稿読込等の項目が表示されている。ユーザは、これら機能情報に関する項目を操作部によって選択することで、該当する機能に関する設定や、その内容確認等を行うことが可能となっている。
【０００４】
ところが、このように１つの画面上に種々の機能情報を表示する表示方式であると、各種項目及び設定内容等を１つの画面上で確認することはできるのだが、それ故、各々の項目において使用される文字フォントは小さくなり、例えば、高齢者や弱視力者にとってはこれを認識しづらくなる場合があった。
【０００５】
また、このように１つの画面上に種々の機能情報を表示する表示方式においては、各種項目及び設定内容等を１つの画面上に表示するが故、スペースの制限から各々の項目に関する情報は簡略化され、例えば、名称のみの表示とされるような場合がある。そのため、例えば、ユーザが画面上に表示される機能、特に、応用機能等の内容を理解していない場合には、ＨＥＬＰ機能を使用してその内容を参照するか、マニュアルを持ち出してその内容を確認する等の必要があった。
【０００６】
さらに、例えば、１枚集約機能・リピート機能・枠／折目消し等の応用機能を使用する場合には、ユーザは、通常、図１２に示すような初期画面８００において応用機能選択項目８００ａを選択して、図１３に示すような応用機能画面９００を表示させて、さらに、この応用機能画面９００において所望の応用機能項目９００ａを選択することで、図６乃至図８に示すような各種応用機能設定画面４００〜６００を表示させて、これら応用機能設定画面４００〜６００において各種設定を行う必要があった。しかしながら、図１３に示すように、１つの画面上において様々な応用項目９００ａを、さらには、その名称のみを表示する表示方式においては、各々の応用機能に関する予備知識が既にユーザに備わっていることが前提となり、例えば、これら応用機能に関する予備知識が備わっていない高齢者や初心者ユーザにとっては、その名称のみから所望の応用機能を選択して、それに応じて表示される各種応用機能設定画面４００〜６００において、その設定を行うということは非常に困難であった。
【０００７】
【発明が解決しようとする課題】
本発明は、上記課題を鑑みてなされたものであり、その目的とするところは、まず第１に、その表示部における表示方式を、ユーザ自身が、複数の機能情報を同時に表示する通常表示と単一の機能情報のみを表示する特定表示とで変更することが可能な画像形成装置を提供することにある。
【０００８】
第２に、その表示部において前記特定表示を行う場合に、前記機能に関する設定を進行するための問い掛け文及び回答肢を、その都度表示することで、例えば、高齢者や初心者ユーザであっても容易に各種設定を行うことを可能にする画像形成装置を提供することにある。
【０００９】
第３に、その表示部において前記特定表示を行う場合に、前記機能に関する各項目において使用される文字フォントを通常よりも大きくすることで、例えば、高齢者や弱視力者にとってもこれを認識し易くすることを可能にする画像形成装置を提供することにある。
【００１０】
第４に、その表示部において前記特定表示を行う場合に、表示画面に前記機能の内容を説明する付帯情報の表示を行うことで、例えば、高齢者や初心者ユーザであってもこれを容易に理解することを可能にする画像形成装置を提供することにある。
【００１１】
【課題を解決するための手段】
上記課題を解決するために、請求項１記載の発明は、画像出力処理に関する複数の機能を有し、前記複数の機能に関する設定画面を表示するための表示部と、その設定操作を行うための操作部とを少なくとも備える画像形成装置において、前記設定画面において、前記複数の機能に関する設定画面を表示する際に、前記複数の機能の内、単一の機能に関する情報のみを表示する表示制御を行う表示制御部を有することを特徴とする。
【００１２】
上記課題を解決するために、請求項２記載の発明は、画像出力処理に関する複数の機能を有し、前記複数の機能に関する設定画面を表示するための表示部と、その設定操作を行うための操作部とを少なくとも備える画像形成装置において、前記設定画面において、前記複数の機能に関する設定画面を表示する際に、前記複数の機能の内、複数の機能に関する情報を同時に表示する通常表示と、前記複数の機能の内、単一の機能に関する情報のみを表示する特定表示との切り替え制御を行う表示制御部を有することを特徴とする。
【００１３】
上記課題を解決するために、請求項３記載の発明は、前記表示制御部は、前記操作部によって特定の操作がなされた場合に、前記切り替え制御を行うことを特徴とする。
【００１４】
上記課題を解決するために、請求項４記載の発明は、前記表示制御部は、前記単一の機能に関する情報のみを表示する場合に、前記機能に関する設定を進行させるための問い掛け文及び回答肢を、その都度、表示することを特徴とする。
【００１５】
上記課題を解決するために、請求項５記載の発明は、前記表示制御部は、前記単一の機能に関する情報のみを表示する場合に、文字フォントの大きさを通常より大きく表示することを特徴とする。
【００１６】
上記課題を解決するために、請求項６記載の発明は、前記表示制御部は、前記単一の機能に関する情報のみを表示する場合に、前記機能の内容に関する説明情報を付帯表示することを特徴とする。
【００１７】
上記課題を解決するために、請求項７記載の発明は、前記表示部は液晶パネルであって、前記操作部は前記表示部に重ねて設けられるタッチパネルであることを特徴とする。
【００１８】
【発明の実施の形態】
以下、本発明に係る画像形成装置の一実施形態について、図面を参照しながら詳細に説明する。尚、本発明に係る画像形成装置は、プリンタ、複写機、複合機及びファクシミリ等の画像形成装置に対して適応可能なものであるが、本実施形態における画像形成装置は、ファクシミリ機能と複写機能とを備えた、所謂、複合機であるものとして以下に説明を行う。
【００１９】
［画像形成装置の構成］
まず、本実施形態における画像形成装置の全体構成について説明する。
【００２０】
図１に、本実施形態における画像形成装置の制御構成を表すブロック図を示す。同図に示すように、当該画像形成装置は、主に、ファクシミリ機能を備えるファクシミリ機能部１と、複写機能を備える複写機能部２と、これら機能部の全体制御を行う全体制御部３と、当該装置の各種処理操作及び設定操作を行うための操作部４とから構成されている。
【００２１】
ファクシミリ機能部１及び複写機能部２は、従来のファクシミリ、複写機或いは複合機における構成と同様となるため、ここでの記載は省略することとする。
【００２２】
全体制御部３は、ファクシミリ機能部１、複写機能部２及び後述する当該全体制御部３の各部に関する全体制御を行うＣＰＵ３１と、同じく、ファクシミリ機能部１、複写機能部２及び後述する当該全体制御部３の各部に関するシステム制御を行うためのシステム制御ＬＳＩ３２と、この他、ファクシミリ機能部１及び複写機能部２において読込まれた画像に関するデータを一時的に記憶する画像記憶部３３と、この画像記憶部３３に一時的に記憶された画像データを出力するプリント部３４と、画像記憶部３３及びプリント部３４における画像データの記憶／出力処理に関する制御を行うための記憶部制御ＬＳＩ３５と、この記憶部制御ＬＳＩ３５による画像記憶部３３及びプリント部３４における画像データの記憶／出力処理の際に、画像データの圧縮伸長処理を行うための画像圧縮伸張ＬＳＩ３６とから構成されている。
【００２３】
操作部４は、各種設定画面の表示を行うＬＣＤパネル４１と、このＬＣＤパネル４１に表示される設定画面において、各種選択／設定操作を行うタッチパネル４２と、これらＬＣＤパネル４１及びタッチパネル４２の表示制御及び操作制御を行う表示／操作制御部４３とから構成されている。尚、タッチパネル４２は、ＬＣＤパネル４１に重ねて設けられるものである。また、操作部４は、タッチパネル４２の他にも操作手段として、例えば、“スタート”ボタン等のハードボタンが設けられている。
【００２４】
このような構成において、ユーザは、操作部４のＬＣＤパネル４１に表示される各種設定画面を参照しつつ、タッチパネル４２により各種選択／設定操作を行う。その選択／設定情報は、操作部４の表示／操作制御部４３から全体制御部３のシステム制御ＬＳＩ３２へと送信され、ＣＰＵ３１は、その選択／設定情報に基づいてファクシミリ機能部１及び複写機能部２等の全体制御を行う。因みに、当該画像形成装置において、複写、即ちコピーを行う場合には、複写機能部２によって原稿（画像）を読み取り、その画像に関するデータを画像記憶部３３によって一時的に記憶して、プリント部３４がこの画像記憶部３３に記憶された画像データに基づいて所定の画像を出力する。但し、この際、画像記憶部３３及びプリント部３４における画像データの記憶／出力処理に関する制御は、ＣＰＵ３１及び記憶部制御ＬＳＩ３５によって行われ、この画像データの記憶／出力処理の際には、画像圧縮伸張ＬＳＩ３６によって、画像データの圧縮伸長処理が行われるものとする。
【００２５】
［画面表示方法］
次に、以上のように構成される当該画像形成装置において実施される、操作部４のＬＣＤパネル４１における画面の表示方法について説明する。尚、以下においては、当該画像形成装置において複写、即ち、コピーが行われる場合を例に採り、その際の画面の表示方法を示す。また、以下における各種設定画面の表示に関する制御は、操作部４の表示／操作制御部４３において行われ、各種設定画面における選択操作は、操作部４のタッチパネル４２により行われるものとする。
【００２６】
当該画像形成装置においては、通常、操作部４のＬＣＤパネル４１に、図２に示すような表示選択画面１００が表示される。ユーザは、まずこの表示選択画面１００において、本発明にかかる特定表示、具体的には“初心者設定表示”を使用するか否かを選択する。ここで重要なのは、まず、ＬＣＤパネル４１にはこの表示選択画面１００のみが表示されるということにある。これにより、各項目の文字フォントを大きく構成することができ、例えば、ユーザが高齢者や弱視力者であってもこれを認識し易くすることができる。次に、この表示選択画面１００においては、前記“初心者設定表示”を使用するか否かをユーザに問いかける説明情報１００ａと、これを選択する選択肢、“はい”ボタン１００ｂ及び“いいえ”ボタン１００ｃが表示されるということにある。この説明情報１００ａが、本発明の問い掛け文に相当する。また、この“はい”ボタン１００ｂ及び“いいえ”ボタン１００ｃが、本発明の回答肢に相当する。このような構成を採ることにより、例えば、図３に示すように、単に“初心者設定表示”ボタン１００ｄと“通常設定表示”ボタン１００ｅとを表示して、これらをユーザに能動的に選択させるような場合と比較して、例えば、高齢者や初心者であっても、ユーザはより分かり易く操作を進めることができる。
【００２７】
図２に示す表示選択画面１００において、ユーザが“はい”ボタン１００ｂを選択すると、操作部４のＬＣＤパネル４１には、図４に示すような機能選択画面２００が表示される。ユーザは、次に、この機能選択画面２００において、応用機能を使用するか否かを選択する。此処に言う応用機能とは、例えば、複数の画像を１枚に集約する１枚集約機能、特定の画像を１枚に繰返しプリントするリピート機能、所定の範囲内には画像をプリントせずに余白や折目部分を確保する余白／折目消し機能等のことである。ここで重要なのは、まず、ＬＣＤパネル４１にはこの機能選択画面２００のみが表示されるということにある。これにより、各項目の文字フォントを大きく構成することができ、例えば、ユーザが高齢者や弱視力者であってもこれを認識し易くすることができる。次に、この応用選択画面２００においては、応用機能を使用するか否かをユーザに問いかける説明情報２００ａと、これを選択する選択肢、“はい”ボタン２００ｂ及び“いいえ”ボタン２００ｃが表示されるということにある。この説明情報２００ａが、本発明の問い掛け文に相当する。また、この“はい”ボタン２００ｂ及び“いいえ”ボタン２００ｃが、本発明の回答肢に相当する。これにより、例えば、ユーザが高齢者や初心者であってもより分かり易く操作を進めることができる。
【００２８】
また、図２に示す表示選択画面１００において、ユーザが“いいえ”ボタン１００ｃを選択すると、操作部４のＬＣＤパネル４１には、図１２に示すような通常の初期画面８００が表示される。ユーザは、この初期画面８００において所望の処理操作や設定操作を行う。このような構成を採ることにより、ユーザが“初心者設定表示”を使用することを必要としない場合に、通常の運用を行うことができる。因みに、例えばここで応用機能を使用する場合には、ユーザは、通常通りに、この初期画面８００において応用機能選択項目８００ａを選択して、図１３に示すような応用機能画面９００を表示させて、さらに、この応用機能画面９００において、所望の応用機能項目９００ａを選択して、図６乃至図８に示すような各種応用機能設定画面４００〜６００を表示させて、これら応用機能設定画面４００〜６００において各種設定を行う。
【００２９】
図４に示す機能選択画面２００において、ユーザが“はい”ボタン２００ｂを選択すると、操作部４のＬＣＤパネル４１には、図５に示すような応用機能画面３００が表示される。ユーザは、この応用機能画面３００において、所望の応用機能を選択する。尚、同図においては、応用機能の１つである“１枚集約機能”に関する画面のみが表示されているが、スクロールバー３００ｄを用いて画面をスクロールさせることで、他の応用機能に関する画面を表示させることが可能となっている。即ち、図９に示すように、各応用機能に関する画面は、表示制御上、例えば縦方向に連続して配置されており、その画面がＬＣＤパネル４１の表示範囲外にある場合であっても、スクロールバー３００ｄの位置を移動させて画面をスクロールさせることで、これをＬＣＤパネル４１の表示範囲内に表示させることができるようになっている。ここで重要なのは、まず、ＬＣＤパネル４１には単一の機能画面、本例においては“１枚集約機能”に関する画面のみが表示されるということにある。これにより、各項目の文字フォントを大きく構成することができ、例えば、ユーザが高齢者や弱視力者であってもこれを認識し易くすることができる。次に、この応用機能画面３００においては、応用機能毎にその内容を説明する機能説明情報３００ａが付帯表示されるということにある。これにより、例えば、ユーザが高齢者や初心者であっても、各応用機能の内容を容易に理解することができ、これをもって、ＨＥＬＰ機能を使用してその内容を参照する、或いは、マニュアルを持ち出してその内容を確認する等の手間を省くことができる。さらに、この応用機能画面３００においては、応用機能毎にその機能を使用するか否かをユーザに問いかける説明情報３００ｂと、その機能を選択する“選択”ボタン３００ｃが表示されるということにある。この説明情報３００ａが、本発明の問い掛け文に相当する。また、この“選択”ボタン３００ｃが、本発明の回答肢に相当する。これにより、例えば、ユーザが高齢者や初心者であってもより分かり易く操作を進めることができる。
【００３０】
図５に示す応用機能画面３００において、ユーザが所望の応用機能に関する“選択”ボタン３００ｃを選択すると、操作部４のＬＣＤパネル４１には、その応用機能に応じた、図６乃至図８に示すような各種応用機能設定画面４００〜６００が表示される。ユーザは、この応用機能設定画面において所望の応用機能に関する設定を行う。尚、図６乃至図８に示す各種応用機能設定画面４００〜６００は、従来において既に、単一の機能のみが表示され、且つ、比較的見易い構成となっているため、本実施形態においては、従来の設定画面をそのまま示しているが、当然、これら各種応用機能設定画面４００〜６００に関しても、各項目に関する説明表示等を行う等して、より見易く、且つ、理解し易い画面構成としても良い。
【００３１】
また、図４に示す機能選択画面２００において、ユーザが“いいえ”ボタン２００ｃを選択すると、操作部４のＬＣＤパネル４１には、図１０に示すようなコピー画面７００が表示される。ユーザは、このコピー画面７００において、“原稿読取”ボタン７００ｂ又は“スタート”ボタン７００ｄを選択することで、或いは、ハードボタン中の“スタート”ボタンを押下することで、当該画像形成装置の複写機能部２によるコピー処理を開始させる。尚、此処に言う“原稿読取”ボタンとは、所謂、ＡＤＦ（自動原稿給送装置）によって原稿の読み取りを行う場合のコピー開始ボタンのことであって、また、此処に言う“スタート”ボタンとは、原稿読取面に原稿を直接セットした場合のコピー開始ボタンのことである。ここで重要なのは、まず、ＬＣＤパネル４１にはコピー画面７００のみが表示されるということにある。これにより、各項目の文字フォントを大きく構成することができ、例えば、ユーザが高齢者や弱視力者であってもこれを認識し易くすることができる。次に、このコピー画面７００においては、各ボタン、即ち、“原稿読取”ボタン７００ｂ及び“スタート”ボタン７００ｄの内容に関する説明情報７００ａ及び７００ｃが付帯表示されるということにある。これにより、例えば、ユーザが高齢者や初心者であっても、各ボタンの内容を容易に理解することができ、コピー処理を開始させることができる。因みに、このコピー画面７００には、ユーザの利便性を鑑みて、この他にも、コピー枚数情報７００ｅやメモリ残量情報７００ｆ等が表示される。
【００３２】
以上に説明した当該画像形成装置の操作部４のＬＣＤパネル４１における画面の表示方法について、操作部４の表示／操作制御部４３による処理の流れに沿って、図１１に示すフローチャートを参照しつつ説明する。
【００３３】
前述のように、当該画像形成装置においては、通常、操作部４のＬＣＤパネル４１に、図２に示すような表示選択画面１００が表示される（Ｓ０１）。ユーザは、まずこの表示選択画面１００において、特定表示、具体的には“初心者設定表示”を使用するか否かを選択する（Ｓ０２）。図２に示す表示選択画面１００において、ユーザが“はい”ボタン１００ｂを選択すると（Ｓ０２、Ｙｅｓ）、操作部４の表示／操作制御部４３は、これを判断して、操作部４のＬＣＤパネル４１に、図４に示すような機能選択画面２００を表示させる（Ｓ０３）。ユーザは、次に、この機能選択画面２００において、応用機能を使用するか否かを選択する（Ｓ０４）。因みに、Ｓ０２において、ユーザが“いいえ”ボタン１００ｃを選択すると（Ｓ０２、Ｎｏ）、操作部４の表示／操作制御部４３は、これを判断して、操作部４のＬＣＤパネル４１に、図１２に示すような通常の初期画面８００を表示させる（Ｓ０９）。ユーザは、この初期画面８００において所望の処理操作や設定操作を行う（Ｓ１０）。因みに、応用機能を使用する場合には、ユーザは、この初期画面８００において応用機能選択項目８００ａを選択して、図１３に示すような応用機能画面９００を表示させて、さらに、この応用機能画面９００において、所望の応用機能項目９００ａを選択して、図６乃至図８に示すような各種応用機能設定画面４００〜６００を表示させて、これら応用機能設定画面４００〜６００において各種設定を行う。Ｓ０３において表示される機能選択画面２００において、ユーザが“はい”ボタン２００ｂを選択すると（Ｓ０４、Ｙｅｓ）、操作部４の表示／操作制御部４３は、これを判断して、操作部４のＬＣＤパネル４１に、図５に示すような応用機能画面３００を表示させる（Ｓ０５）。ユーザは、この応用機能画面３００において、所望の応用機能を選択する。尚、同図においては、応用機能の１つである“１枚集約機能”に関する画面のみが表示されているが、スクロールバー３００ｄを用いて画面をスクロールさせることで、他の応用機能に関する画面を表示させることが可能となっている。即ち、図９に示すように、各応用機能に関する画面は、表示制御上、例えば縦方向に連続して配置されており、その画面がＬＣＤパネル４１の表示範囲外にある場合であっても、スクロールバー３００ｄの位置を移動させて画面をスクロールさせることで、これをＬＣＤパネル４１の表示範囲内に表示させることができるようになっている。そして、この応用機能画面３００において、ユーザが所望の応用機能に関する“選択”ボタン３００ｃを選択すると、操作部４の表示／操作制御部４３は、これを判断して、操作部４のＬＣＤパネル４１に、その応用機能に応じた、図６乃至図８に示すような各種応用機能設定画面４００〜６００を表示させる。ユーザは、この応用機能設定画面において所望の応用機能に関する設定を行う。尚、此処に示す各種応用機能設定画面４００〜６００は、従来において既に、単一の機能のみが表示され、且つ、比較的見易い構成となっているため、本実施形態においては、従来の設定画面をそのまま示しているが、当然、これら各種応用機能設定画面４００〜６００に関しても、各項目に関する説明表示等を行う等して、より見易く、且つ、理解し易い画面構成としても良い。さらに、操作部４の表示／操作制御部４３は、これら各種応用機能設定画面４００〜６００において、その設定が完了したか否かを判断して（Ｓ０６）、設定が完了した場合には（Ｓ０６、Ｙｅｓ）、図１０に示すようなコピー画面７００を表示させる（Ｓ０７）。ユーザは、このコピー画面７００において、“原稿読取”ボタン７００ｂ又は“スタート”ボタン７００ｄを選択する。或いは、ハードボタン中の“スタート”ボタンを押下する。尚、此処に言う“原稿読取”ボタンとは、所謂、ＡＤＦ（自動原稿給送装置）によって原稿の読み取りを行う場合のコピー開始ボタンのことであり、また、此処に言う“スタート”ボタンとは、原稿読取面に原稿を直接セットした場合のコピー開始ボタンのことである。操作部４の表示／操作制御部４３は、このコピー画面７００において“原稿読取”ボタン７００ｂ又は“スタート”ボタン７００ｄの何れが選択されたのか、或いは、ハードボタン中の“スタート”ボタンが押下されたのかを判断して（Ｓ０８、Ｙｅｓ）、それに対応するコピー動作処理を行う。ところで、Ｓ０４において、ユーザが“いいえ”ボタン２００ｃを選択すると、操作部４の表示／操作制御部４３は、これを判断して、操作部４のＬＣＤパネル４１に、図１０に示すようなコピー画面７００を表示させる（Ｓ０７）。ユーザは、このコピー画面７００において、“原稿読取”ボタン７００ｂ又は“スタート”ボタン７００ｄを選択する。或いは、ハードボタン中の“スタート”ボタンを押下する。操作部４の表示／操作制御部４３は、このコピー画面７００において“原稿読取”ボタン７００ｂ又は“スタート”ボタン７００ｄの何れが選択されたのか、或いは、ハードボタン中の“スタート”ボタンが押下されたのかを判断して（Ｓ０８、Ｙｅｓ）、それに対応するコピー動作処理を行う。
【００３４】
以上をもって、当該画像形成装置の操作部４の表示／操作制御部４３における処理は終了し、コピー処理は、複写機能部２及び全体制御部３へと委託されることになる。即ち、複写機能部２によって予めセットされた原稿（画像）が読み取られ、その画像に関するデータ画像が全体制御部３の記憶部３３において一時的に記憶され、プリント部３４がこの画像記憶部３３に一時的に記憶された画像データに基づき、所定の画像を出力する。但し、この際、画像記憶部３３及びプリント部３４における画像データの記憶／出力処理に関する制御は、ＣＰＵ３１及び記憶部制御ＬＳＩ３５によって行われ、この画像データの記憶／出力処理の際には、画像圧縮伸張ＬＳＩ３６によって画像データの圧縮伸長処理が行われることとなる。
【００３５】
尚、本発明に係る画像形成装置は、プリンタ、複写機、複合機及びファクシミリ等の画像形成装置に対して適応可能なものであり、本実施形態における画像形成装置、即ち、複合機に限定されるものではない。よって、本実施形態において示した画像形成装置に関する制御構成や各種画面、具体的には、表示選択画面１００、機能選択画面２００、応用機能画面３００、応用機能設定画面４００〜６００、コピー画面７００、初期画面８００、応用機能画面９００等の画面構成及びこれらの表示態様は、当該形態に限定されるものではなく、画像形成装置がプリンタ、複写機、複合機及びファクシミリの何れになるか等に応じて適宜変更されるものとする。
【００３６】
【発明の効果】
以上に説明したように、本発明に係る画像形成装置によれば、その表示部における表示方式を、ユーザが自身の要望に応じて、複数の機能情報を同時に表示する通常表示と単数の機能情報のみを表示する特定表示とで変更することが可能になる。
【００３７】
また、本発明に係る画像形成装置によれば、その表示部において前記特定表示を行う際に、前記機能に関する設定を進めていくための問い掛け文及び回答肢が、その都度表示されるので、例えば、ユーザが高齢者や初心者であっても容易に各種設定を行うことが可能になる。
【００３８】
さらに、本発明に係る画像形成装置によれば、その表示部において前記特定表示を行う際に、表示画面に単一の機能情報のみが表示されるので、各々の項目において使用される文字フォントを大きく構成することができ、例えば、ユーザが高齢者や弱視力者であってもこれを認識し易くすることが可能になる。
【００３９】
さらに、本発明に係る画像形成装置によれば、その表示部において前記特定表示を行う際に、表示画面に単一の機能情報のみが表示され、さらに、その機能内容に関する説明が付帯表示されるので、例えば、ユーザが高齢者や初心者であってもこれを容易に理解することが可能になる。
【図面の簡単な説明】
【図１】本発明に係る画像形成装置の制御構成を表すブロック図である。
【図２】図１に示すＬＣＤパネルにおいて表示される初期画面の画面構成を表す図である。
【図３】図２に示す初期画面の画面構成の他例を表す図である。
【図４】図１に示すＬＣＤパネルにおいて表示される機能選択画面の画面構成を表す図である。
【図５】図１に示すＬＣＤパネルにおいて表示される応用機能画面の画面構成を表す図である。
【図６】図１に示すＬＣＤパネルにおいて表示される応用機能設定画面の一画面構成を表す図である。
【図７】図１に示すＬＣＤパネルにおいて表示される応用機能設定画面の一画面構成を表す図である。
【図８】図１に示すＬＣＤパネルにおいて表示される応用機能設定画面の一画面構成を表す図である。
【図９】図５に示す応用機能設定画面がスクロールされる状態を説明する説明図である。
【図１０】図１に示すＬＣＤパネルにおいて表示されるコピー画面の画面構成を表す図である。
【図１１】図１に示す操作部の表示／操作制御部において成される処理の流れを説明するフローチャートである。
【図１２】従来の画像形成装置の初期画面の画面構成を表す図である。
【図１３】従来の画像形成装置の応用機能画面の画面構成を表す図である。
【符号の説明】
１…ＦＡＸ機能部
２…複写機能部
３…全体制御部
３１…ＣＰＵ
３２…システム制御ＬＳＩ
３３…画像記憶部
３４…プリント部
３５…記憶部制御ＬＳＩ
３６…画像圧縮伸張ＬＳＩ
４…操作部
４１…ＬＣＤパネル
４２…タッチパネル
４３…表示／操作制御部
１００…表示選択画面
１００ａ…説明情報
１００ｂ…“はい”ボタン
１００ｃ…“いいえ”ボタン
１００ｄ…“初心者設定表示”ボタン
１００ｅ…“通常設定表示”ボタン
２００…機能選択画面
２００ａ…説明情報
２００ｂ…“はい”ボタン
２００ｃ…“いいえ”ボタン
３００…応用機能画面
３００ａ…機能説明情報
３００ｂ…説明情報
３００ｃ…“選択”ボタン
３００ｄ…スクロールバー
４００〜６００…応用機能設定画面
７００…コピー画面
７００ａ…説明情報
７００ｂ…“原稿読取”ボタン
７００ｃ…説明情報
７００ｄ…“スタート”ボタン
７００ｅ…コピー枚数情報
７００ｆ…メモリ残量情報
８００…初期画面
８００ａ…応用機能選択項目
９００…応用機能画面
９００ａ…応用機能項目
【図１】
2004029292.tif 000003
【図２】
2004029292.tif 000004
【図３】
2004029292.tif 000005
【図４】
2004029292.tif 000006
【図５】
2004029292.tif 000007
【図６】
2004029292.tif 000008
【図７】
2004029292.tif 000009
【図８】
2004029292.tif 000010
【図９】
2004029292.tif 000011
【図１０】
2004029292.tif 000012
【図１１】
2004029292.tif 000013
【図１２】
2004029292.tif 000014
【図１３】
2004029292.tif 000015